(57)【要約】【課題】ユーザにとって重要度が高い領域の視認性を確保することでユーザの利便性を確保しつつ画面領域ごとに輝度制御を行うことができる情報処理装置および輝度制御方法を提供する。【解決手段】本発明に係る情報処理装置は、表示画面を複数の領域に分割し、この分割された領域ごとに表示画面の輝度を制御可能に構成される。情報処理装置は、表示画面を有する表示装置と、表示画面の複数の領域のうち、アクティブなウインドウが描画される領域の情報とカーソルが描画される領域の情報とで構成された注目領域の情報を取得する注目領域決定部５２と、注目領域が第１の輝度を、他の領域が第１の輝度より低い第２の輝度を、それぞれ有するよう複数の領域ごとに表示画面の輝度を制御する輝度制御部５３と、を備える。【選択図】  図６
2011013294.tif 000002
【特許請求の範囲】
【請求項１】
表示画面を複数の領域に分割し、この分割領域ごとに前記表示画面の輝度を制御可能な情報処理装置であって、
前記表示画面を有する表示装置と、
アクティブなウインドウもしくはカーソルの少なくとも何れか一方が描画される描画領域が属する前記分割領域を注目領域として決定する注目領域決定部と、
前記注目領域が第１の輝度を、他の領域が前記第１の輝度より低い第２の輝度を、それぞれ有するよう、前記複数の分割領域ごとに前記表示画面の輝度を制御する輝度制御部と、
を備えたことを特徴とする情報処理装置。
【請求項２】
前記表示装置は、前記表示画面に対して複数の表示解像度で画像を表示可能に構成され、
前記表示画面の表示解像度ごとに異なるスクリーン座標と前記表示画面の各分割領域との対応関係を前記表示解像度ごとにあらかじめ記憶した記憶部、
をさらに備え、
前記注目領域決定部は、
前記表示画面の現在の表示解像度および前記描画領域のスクリーン座標を取得し、前記記憶部から前記表示解像度における前記描画領域のスクリーン座標が属する前記表示画面の分割領域を割り出して前記注目領域を決定することを特徴とする、
請求項１記載の情報処理装置。
【請求項３】
前記アクティブなウインドウの描画領域の座標データは、前記ウインドウの一点を示す座標データと前記ウインドウの大きさを示すデータから決定されることを特徴とする
請求項２に記載の情報処理装置。
【請求項４】
前記描画領域のスクリーン座標の変更を監視する監視部、
をさらに備え、
前記注目領域決定部は、
前記監視部から前記描画領域のスクリーン座標に対する変更があった旨の情報を受けると、前記変更のあった前記描画領域のスクリーン座標を用いて再度注目領域を決定することを特徴とする、
請求項３記載の情報処理装置。
【請求項５】
前記表示装置は、
前記表示画面を構成する液晶パネルと、
前記表示画面の前記複数の分割領域のそれぞれを液晶パネルの背後から照明する複数の光源から成る光源群と、
を備え、
前記輝度制御部は、前記光源の発光輝度を前記分割領域ごとに制御することで、前記分割領域の輝度を制御し、
前記記憶部は、
前記表示画面の表示解像度ごとに異なるスクリーン座標と、前記表示画面の各分割領域と、前記各分割領域を照明する前記光源群の各光源と、の対応関係を前記表示解像度ごとにあらかじめ記憶し、
前記注目領域決定部は、
前記表示画面の現在の表示解像度および前記描画領域のスクリーン座標を取得し、前記記憶部から前記表示解像度における前記スクリーン座標が属する前記表示画面の分割領域を割り出し、前記分割領域を照明する前記光源群の光源の情報を取得し、
前記輝度制御部は、
前記注目領域を照明する前記光源が前記第１の発光輝度で、前記他の領域を照明する前記光源が前記第１の発光輝度より低い前記第２の発光輝度で、それぞれ発光するよう制御する、
請求項３または４に記載の情報処理装置。
【請求項６】
表示画面を複数の領域に分割し、この分割領域ごとに前記表示画面の輝度を制御する輝度制御方法であって、
アクティブなウインドウもしくはカーソルの少なくとも何れか一方が描画される描画領域が属する前記分割領域を注目領域とし、前記注目領域の情報を取得するステップと、
前記注目領域が第１の輝度を、他の領域が前記第１の輝度より低い第２の輝度を、それぞれ有するよう、前記複数の領域ごとに前記表示画面の輝度を制御するステップと、
を有することを特徴とする輝度制御方法。
【請求項７】
前記表示画面の表示解像度ごとに異なるスクリーン座標と前記表示画面の各分割領域との対応関係を前記表示解像度ごとに記憶部に記憶させるステップ、
をさらに有し、
前記注目領域の情報を取得するステップは、
前記表示画面の現在の表示解像度を取得するステップと、
アクティブなウインドウもしくはカーソルの少なくとも何れか一方が描画される描画領域が属する前記分割領域を注目領域とし、前記注目領域の情報を取得するステップと、
前記現在の表示解像度及び前記描画領域のスクリーン座標が属する前記表示画面の分割領域である前記注目領域の情報を取得するステップと、
を有する、
請求項６記載の輝度制御方法。
【請求項８】
前記描画領域のスクリーン座標に対する変更を監視するステップ、
をさらに有し、
前記注目領域の情報を取得するステップは、
前記変更を監視するステップで前記描画領域のスクリーン座標に対する変更が確認されると、前記変更のあった前記スクリーン座標を用いて注目領域の情報を再度取得するステップである、
請求項６または７に記載の輝度制御方法。
【発明の詳細な説明】
【技術分野】
【０００１】
本発明は、表示装置の輝度を制御する情報処理装置および輝度制御方法に関する。
【背景技術】
【０００２】
従来、この種の表示装置の輝度を制御する技術に、特開２００８−２４２００９号公報（特許文献１）に開示された技術がある。
【０００３】
この特許文献１に開示された情報処理装置は、表示装置の表示画面を複数の領域に分割し、表示画面の照明光強度をこの分割された画面領域ごとに制御可能な情報処理装置であって、表示する画像のデータから画面領域ごとの輝度のデータ（領域内の輝度平均値など）を算出し、この画面領域ごとの輝度のデータにもとづいて画面領域ごとの照明光強度を決定するようになっている。この情報処理装置は、画像データにもとづく画面領域ごとの輝度制御を行うことができるため、画像データの輝度が高い領域をより明るく、輝度が低い領域をより暗くすることによりコントラストのダイナミックレンジを広げユーザの視認性を向上させることができるようになっている。
【先行技術文献】
【特許文献】
【０００４】
【特許文献１】特開２００８−２４２００９号公報
【発明の概要】
【発明が解決しようとする課題】
【０００５】
しかし、従来の技術では、画像データの輝度が高い領域とユーザの注目する領域とが異なる場合にユーザの利便性を損なってしまうおそれがある。従来の技術では、表示する画像の画面領域ごとの輝度のデータに応じて画面領域ごとの照明光強度を決定する。このため、たとえば表示する画像の壁紙画像（背景画像）がユーザにとって重要度が低く、かつ白色であるなどして輝度が非常に高い場合、ユーザにとって重要度が高く注目しているアクティブなウインドウの画像を含む画面領域よりも、背景画像が描画される画面領域の照明光強度のほうが高くなってしまう。この場合、ユーザにとって重要度が高い領域であるウインドウの視認性が悪くなってしまい、ユーザの利便性が損なわれてしまう。
【０００６】
本発明は、上述した事情を考慮してなされたもので、ユーザにとって重要度が高い領域の視認性を確保することでユーザの利便性を確保しつつ画面領域ごとに輝度制御を行うことができる情報処理装置および輝度制御方法を提供することを目的とする。
【課題を解決するための手段】
【０００７】
本発明に係る情報処理装置は、上述した課題を解決するために、表示画面を複数の領域に分割し、この分割された領域ごとに前記表示画面の輝度を制御可能な情報処理装置であって、前記表示画面を有する表示装置と、前記表示画面の複数の領域のうち、アクティブなウインドウが描画される領域の情報とカーソルが描画される領域の情報とで構成された注目領域の情報を取得する注目領域決定部と、前記注目領域が第１の輝度を、他の領域が前記第１の輝度より低い第２の輝度を、それぞれ有するよう、前記複数の領域ごとに前記表示画面の輝度を制御する輝度制御部と、を備えたことを特徴とするものである。
【０００８】
一方、本発明に係る輝度制御方法は、上述した課題を解決するために、表示画面を複数の領域に分割し、この分割された領域ごとに前記表示画面の輝度を制御する輝度制御方法であって、前記表示画面の複数の領域のうち、アクティブなウインドウが描画される領域の情報とカーソルが描画される領域の情報とで構成された注目領域の情報を取得するステップと、前記注目領域が第１の輝度を、他の領域が前記第１の輝度より低い第２の輝度を、それぞれ有するよう、前記複数の領域ごとに前記表示画面の輝度を制御するステップと、を有することを特徴とする方法である。
【発明の効果】
【０００９】
本発明に係る情報処理装置および輝度制御方法によれば、ユーザにとって重要度が高い領域の視認性を確保することでユーザの利便性を確保しつつ画面領域ごとに輝度制御を行うことができる。
【図面の簡単な説明】
【００１０】
【図１】本発明に係る情報処理装置の一実施形態を示す概略的な全体構成図。
【図２】パーソナルコンピュータの内部構成例を概略的に示すブロック図。
【図３】表示画面の各領域とバックライトの各光源との対応関係の一例を示す説明図。
【図４】表示画面の各領域とスクリーン座標との対応関係の一例を示す説明図。
【図５】表示画面に表示されたアクティブウインドウおよびカーソルと画面領域との対応関係の一例を示す説明図。
【図６】主制御部のＣＰＵによる機能実現部の構成例を示す概略的なブロック図。
【図７】図１に示すパーソナルコンピュータの主制御部により、注目領域の視認性を確保することでユーザの利便性を確保しつつ画面領域ごとに輝度制御を行う際の手順を示すフローチャート。
【発明を実施するための形態】
【００１１】
本発明に係る情報処理装置および輝度制御方法の実施の形態について、添付図面を参照して説明する。
【００１２】
図１は、本発明に係る情報処理装置の一実施形態を示す概略的な全体構成図である。
【００１３】
なお、本発明は、表示装置の表示画面を複数の領域に分割し、表示画面の照明光強度をこの分割された画面領域ごとに制御可能な情報処理装置に適用することができる。本実施形態では、本発明に係る情報処理装置として、ノートブック型のパーソナルコンピュータ（以下、パーソナルコンピュータという）を用いる場合の一例について示す。
【００１４】
図１に示すように、パーソナルコンピュータ１０は、コンピュータ本体１１および表示装置としてのディスプレイユニット１２を備える。
【００１５】
コンピュータ本体１１は、薄い箱形の筐体を有し、この筐体上面の中央部には、キーボード１３が設けられる。コンピュータ本体１１の筐体上面の手前側には、パームレストが形成される。パームレストのほぼ中央部には、タッチパッド１４およびタッチパッドコントロールボタン１５が設けられる。コンピュータ本体１１の筐体上面の奥側には、パーソナルコンピュータ１０の電源をオン／オフするためのパワーボタン１６が配置される。
【００１６】
表示装置としてのディスプレイユニット１２は、表示パネル１７を有し、コンピュータ本体１１に対し開閉自在に支持する連結部（ヒンジ）１８を介して連結される。
【００１７】
なお、以下の説明では、表示装置が液晶表示装置により構成される場合の例について説明するが、表示装置としてＯＬＥＤ（Organic Light Emitting Diode）を用いる場合にも本発明を適用可能である。
【００１８】
図２は、パーソナルコンピュータ１０の内部構成例を概略的に示すブロック図である。
【００１９】
図２に示すように、パーソナルコンピュータ１０は、キーボード１３や表示パネル１７のほか、記憶部３１、ネットワーク接続部３２および主制御部３３を有する。
【００２０】
キーボード１３は、ユーザの操作に対応した操作入力信号を主制御部３３に出力する。
【００２１】
ディスプレイユニット１２の表示パネル１７には、表示画面を構成する液晶パネルとしてのＬＣＤ２１（Liquid Crystal Display）、光源群としてのバックライト２２が組み込まれる。バックライト２２は、複数の光源２３により構成される。また、ディスプレイユニット１２は、バックライト制御部２４を有する。
【００２２】
図３は、表示画面の各領域とバックライト２２の各光源２３との対応関係の一例を示す説明図である。図３において、ＬＣＤ２１の点線は、画面領域の境界を示す仮想的な線である。
【００２３】
ＬＣＤ２１は、主制御部３３の制御に従って各種情報を表示画面に表示する。このＬＣＤ２１の表示画面は、あらかじめ複数の領域に分割される。バックライト２２を構成する光源２３は、図３に示すように、それぞれＬＣＤ２１の背後から分割された各領域を照明する。
【００２４】
なお、図３には、１つの面状光源２３により１つの領域が照明される場合の例について示したが、光源２３は面状ではなく点状光源２３であってもよいし、複数の光源２３によって１つの領域が照明されてもよい。さらに、画面領域ごとに輝度を制御可能であれば、ＬＣＤの照明方式はバックライト方式ではなくサイドライト方式であってもよい。
【００２５】
バックライト２２を構成する各光源２３は、バックライト制御部２４により発光輝度を制御される。バックライト制御部２４は、主制御部３３により指示された輝度でバックライト２２の各光源２３が発光するよう、各光源２３の輝度を独立に制御可能に構成される。
【００２６】
図４は、表示画面の各領域とスクリーン座標との対応関係の一例を示す説明図である。図４には、１画面の表示に用いられる総画素数（以下、表示解像度という）が１０２４×７６８である場合の例について示した。
【００２７】
スクリーン座標とは、画面の左上隅を原点（０，０）として、右方向に進むとＸ座標がプラスされ、下方向に進むとＹ座標がプラスされる画面全体を対象とした座標系をいう。図４から明らかなように、表示解像度が異なると、表示画面の各領域とスクリーン座標との対応関係が異なる。一方、ＬＣＤ２１は、８００×６００、１０２４×７６８、１２８０×１０２４などの複数の表示解像度に対応することが多い。また、表示解像度は、キーボード１３などの操作受付部を介してユーザによって任意に変更可能とされることが多い。
【００２８】
このため、ユーザにとって重要度が高い画像が表示された画面領域の輝度を他の領域の輝度よりも高くするためには、あらかじめ、表示解像度ごとに、スクリーン座標と、表示画面の各領域と、各領域を照明する各光源２３と、の対応関係を保持しておく必要がある。これらの対応関係は、あらかじめ記憶部３１に記憶させておく。
【００２９】
図５は、表示画面に表示されたアクティブウインドウ４１およびカーソル４２と画面領域との対応関係の一例を示す説明図である。図５において、斜線を施した画面領域Ｂ２、Ｂ３、Ｃ２、Ｃ３およびＤ４は、アクティブウインドウ４１が描画される画面領域およびカーソル４２が描画される画面領域を示す。なお、以下の説明では、アクティブウインドウ４１が描画される画面領域およびカーソル４２が描画される画面領域を総称して注目領域という。
【００３０】
主制御部３３は、アクティブなウインドウ４１が描画されるスクリーン座標を、クライアント座標の情報にもとづいて取得することができる。ここで、クライアント座標とは、クライアント領域の左上隅を原点とする座標系をいう。一般に、ウインドウは、ウインドウの内容を表示するクライアント領域、枠、タイトルバーなどにより構成される。したがって、主制御部３３は、クライアント領域の原点のスクリーン座標の情報およびアクティブウインドウ４１のサイズの情報から、アクティブウインドウ４１が描画される（占有する）スクリーン座標の情報を取得することができる。主制御部３３は、このアクティブウインドウ４１のクライアント座標原点のスクリーン座標の情報およびウインドウ４１のサイズの情報や、カーソル４２が描画されるスクリーン座標の情報を、オペレーティングシステムから取得することができる。
【００３１】
主制御部３３が、注目領域の輝度が他の画面領域の輝度よりも高くなるよう光源２３の輝度を制御する手順について簡単に説明する。
【００３２】
まず、アクティブウインドウ４１およびカーソル４２が描画されるスクリーン座標の情報を取得する。つぎに、記憶部３１に記憶された情報にもとづいて、この取得したスクリーン座標が現在の表示解像度において属する画面領域（注目領域）の情報を取得する。つぎに、記憶部３１に記憶された情報にもとづいて、この取得した画面領域を照明する光源２３の情報を取得する。そして、この光源２３の輝度を他の光源２３の輝度よりも高くする。以上の手順により、アクティブウインドウ４１およびカーソル４２が描画される画面領域の輝度を他の画面領域の輝度よりも高くすることができる。
【００３３】
記憶部３１は、磁気的もしくは光学的記録媒体または半導体メモリなどの、ＣＰＵにより読み取り可能な記録媒体を含んだ構成を有する。記憶部３１は、少なくともあらかじめ、表示解像度と、スクリーン座標と、表示画面の各領域と、各領域を照明する各光源２３と、を互いに関連付けて記憶する。
【００３４】
ネットワーク接続部３２は、ネットワークの形態に応じた種々の情報通信用プロトコルを実装する。ネットワーク接続部３２は、この各種プロトコルに従ってパーソナルコンピュータ１０と他の電気機器とを接続する。この接続には、電子ネットワークを介した電気的な接続などを適用することができる。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００３５】
主制御部３３は、ＣＰＵ、ＲＡＭおよびＲＯＭをはじめとする記憶媒体などにより構成され、この記憶媒体に記憶されたプログラムに従って、パーソナルコンピュータ１０の処理動作を制御する。
【００３６】
主制御部３３のＣＰＵは、ＲＯＭをはじめとする記憶媒体に記憶された領域別輝度制御プログラムおよびこのプログラムの実行のために必要なデータをＲＡＭへロードし、このプログラムに従って、ユーザにとって重要度が高い注目領域の視認性を確保することでユーザの利便性を確保しつつ画面領域ごとに輝度制御を行う処理を実行する。
【００３７】
主制御部３３のＲＡＭは、ＣＰＵが実行するプログラムおよびデータを一時的に格納するワークエリアを提供する。
【００３８】
主制御部３３のＲＯＭをはじめとする記憶媒体は、パーソナルコンピュータ１０の起動プログラム、オペレーティングシステム、領域別輝度制御プログラムや、これらのプログラムを実行するために必要な各種データを記憶する。
【００３９】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００４０】
図６は、主制御部３３のＣＰＵによる機能実現部の構成例を示す概略的なブロック図である。なお、この機能実現部は、ＣＰＵを用いることなく回路などのハードウエアロジックによって構成してもよい。
【００４１】
図６に示すように、主制御部３３のＣＰＵは、領域別輝度制御プログラムによって、少なくとも監視部５１、注目領域決定部５２、輝度制御部５３および終了判定部５４として機能する。この各部５１〜５４は、ＲＡＭの所要のワークエリアを、データの一時的な格納場所として利用する。
【００４２】
監視部５１は、アクティブなウインドウ４１が描画されるスクリーン座標およびカーソル４２が描画されるスクリーン座標の少なくとも一方に対する変更を監視する。
【００４３】
注目領域決定部５２は、解像度取得部５５、座標取得部５６および注目領域情報取得部５７を有し、アクティブウインドウ４１およびカーソル４２が描画されるスクリーン座標の情報ならびに現在の表示解像度の情報にもとづいて注目領域の情報を取得する。
【００４４】
解像度取得部５５は、表示画面の現在の表示解像度を取得する。この情報は、オペレーティングシステムから取得することができる。
【００４５】
座標取得部５６は、オペレーティングシステムから取得したアクティブウインドウ４１のクライアント座標原点のスクリーン座標およびウインドウ４１のサイズの情報にもとづいてアクティブなウインドウ４１が描画されるスクリーン座標の情報を算出する。また、座標取得部５６は、オペレーティングシステムからカーソル４２が描画されるスクリーン座標の情報を取得する。
【００４６】
注目領域情報取得部５７は、現在の表示解像度にもとづいて記憶部３１を検索し、現在の表示解像度においてアクティブなウインドウ４１が描画されるスクリーン座標およびカーソル４２が描画されるスクリーン座標が属する画面領域（注目領域）を照明する光源２３の情報を取得する。
【００４７】
輝度制御部５３は、ユーザにとって重要度が高い注目領域の視認性が高まるよう、注目領域を照明する光源２３が第１の輝度で、他の領域を照明する光源２３が第１の輝度より低い第２の輝度で、それぞれ発光するよう制御する。
【００４８】
終了判定部５４は、キーボード１３などの操作受付部を介してユーザによりシステムを終了すべき旨の指示があったか否かを判定する。
【００４９】
次に、本実施形態に係るパーソナルコンピュータ１０の動作の一例について説明する。
【００５０】
図７は、図１に示すパーソナルコンピュータ１０の主制御部３３により、注目領域の視認性を確保することでユーザの利便性を確保しつつ画面領域ごとに輝度制御を行う際の手順を示すフローチャートである。図７において、Ｓに数字を付した符号は、フローチャートの各ステップを示す。
【００５１】
この手順は、オペレーティングシステムが起動された時点でスタートとなる。なお、あらかじめ記憶部３１には表示解像度と、スクリーン座標と、表示画面の各領域と、各領域を照明する各光源２３と、が互いに関連付けて記憶されているものとする。
【００５２】
まず、ステップＳ１において、監視部５１は、アクティブなウインドウ４１が描画されるスクリーン座標およびカーソル４２が描画されるスクリーン座標の少なくとも一方に対する変更を監視する。アクティブウインドウ４１が描画されるスクリーン座標が変化する場合には、表示画面にウインドウ４１が初めて生成されるときや、ウインドウ４１のサイズが変更されたりウインドウ４１の位置が変更されたりするときなどを挙げることができる。少なくとも一方のスクリーン座標が変化した場合（ステップＳ１のＹＥＳ）は、ステップＳ２に進む。どちらのスクリーン座標にも変化がない場合（ステップＳ１のＮＯ）は、引き続き監視を続ける。
【００５３】
次に、ステップＳ２において、解像度取得部５５は、表示画面の現在の表示解像度の情報を取得する。
【００５４】
次に、ステップＳ３において、座標取得部５６は、表示画面の複数の領域のうち、オペレーティングシステムから取得したアクティブウインドウ４１のクライアント座標原点のスクリーン座標およびウインドウ４１のサイズの情報にもとづいて、アクティブなウインドウ４１が描画されるスクリーン座標の情報を算出する。
【００５５】
次に、ステップＳ４において、座標取得部５６は、オペレーティングシステムからカーソル４２が描画されるスクリーン座標の情報を取得する。
【００５６】
次に、ステップＳ５において、注目領域情報取得部５７は、現在の表示解像度にもとづいて記憶部３１を検索し、現在の表示解像度においてアクティブなウインドウ４１が描画されるスクリーン座標およびカーソル４２が描画されるスクリーン座標が属する画面領域（注目領域）の情報を取得する。
【００５７】
次に、ステップＳ６において、注目領域情報取得部５７は、注目領域の情報にもとづいて記憶部３１を検索し、注目領域を照明する光源２３の情報を取得する。
【００５８】
次に、ステップＳ７において、輝度制御部５３は、ユーザにとって重要度が高い注目領域の視認性が高まるよう、注目領域を照明する光源２３が第１の輝度で、他の領域を照明する光源２３が第１の輝度より低い第２の輝度で、それぞれ発光するよう制御する。たとえば、ユーザにより各光源２３の基準輝度が２００ｃｄ／ｍ２に設定されている場合、第１の輝度は２００ｃｄ／ｍ２のままとし、第２の輝度を６０ｃｄ／ｍ２とすることにより、ユーザにとって重要度が高い注目領域の視認性を高めることができる。
【００５９】
次に、ステップＳ８において、終了判定部５４は、キーボード１３などの操作受付部を介してユーザによりシステムを終了すべき旨の指示があったか否かを判定する。終了指示があった場合（ステップＳ８のＹＥＳ）は、一連の手順は終了となる。一方、終了指示がない場合（ステップＳ８のＮＯ）は、ステップＳ１に戻り再びアクティブなウインドウ４１が描画されるスクリーン座標およびカーソル４２が描画されるスクリーン座標の少なくとも一方に対する変更を監視する。
【００６０】
以上の手順により、注目領域の視認性を確保することでユーザの利便性を確保しつつ画面領域ごとに輝度制御を行うことができる。
【００６１】
本実施形態に係る情報処理装置は、アクティブウインドウ４１が描画される画面領域およびカーソル４２が描画される画面領域の視認性を高めることができる。アクティブウインドウ４１およびカーソル４２は、特にユーザにとって重要度が高い画像である。このため、従来の表示する画像の画面領域ごとの輝度のデータに応じて画面領域ごとの照明光強度を決定する技術に比べ、確実にユーザにとって重要度が高い領域の視認性を確保することでユーザの利便性を確保することができる。
【００６２】
また、本実施形態に係る情報処理装置は、注目領域以外の輝度を下げることにより視認性を確保することができる。このため、本実施形態に係る情報処理装置によれば、表示画面全体が同一の輝度を有する場合に比べ、消費電力を低減することができる。
【００６３】
なお、本実施形態では表示装置として液晶ディスプレイを用いる場合の例について示したが、表示装置としてＯＬＥＤディスプレイを用いてもよい。この場合、記憶部３１は、少なくともあらかじめ、表示解像度と、スクリーン座標と、表示画面の各領域と、各画面領域に対応するＯＬＥＤ素子の情報と、を互いに関連付けて記憶することになる。また、上記説明において「領域を照明する光源２３」は「領域を構成するＯＬＥＤ素子」に読み替える。表示装置としてＯＬＥＤディスプレイを用いる場合、１つのＯＬＥＤ素子を最小サイズとして表示画面をより詳細な領域に分割することができる。
【００６４】
また、本実施形態では視認性を高めるために注目領域の輝度よりも他の領域の輝度のほうが低くなるように輝度制御する場合の例について示したが、注目領域の発光状態と他の領域の発光状態が異なることにより注目領域の視認性が高くなればよく、たとえば注目領域はカラー表示のままである一方他の領域を白黒表示するように制御してもよい。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００６６】
たとえば、本発明は、本実施形態で説明したノートブック型のパーソナルコンピュータ１０のほかにも、表示装置の表示画面を複数の領域に分割し、表示画面の照明光強度をこの分割された画面領域ごとに制御可能な様々な情報処理装置に適用可能である。
【００６７】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００６８】
１０  パーソナルコンピュータ
１１  コンピュータ本体
１２  ディスプレイユニット
１３  キーボード
１４  タッチパッド
１５  タッチパッドコントロールボタン
１６  パワーボタン
１７  表示パネル
１８  連結部（ヒンジ）
２１  ＬＣＤ
２２  バックライト
２３  光源
２４  バックライト制御部
３１  記憶部
３２  ネットワーク接続部
３３  主制御部
４１  ウインドウ
４２  カーソル
５１  監視部
５２  注目領域決定部
５３  輝度制御部
５４  終了判定部
５５  解像度取得部
５６  座標取得部
５７  注目領域情報取得部
【図１】
2011013294.tif 000003
【図２】
2011013294.tif 000004
【図３】
2011013294.tif 000005
【図４】
2011013294.tif 000006
【図５】
2011013294.tif 000007
【図６】
2011013294.tif 000008
【図７】
2011013294.tif 000009
【手続補正書】
【提出日】平成22年10月28日(2010.10.28)
【手続補正１】
【補正対象書類名】明細書
【補正対象項目名】０００７
【補正方法】変更
【補正の内容】
【０００７】
本発明に係る情報処理装置は、上述した課題を解決するために、表示画面を複数の領域に分割し、この分割領域ごとに前記表示画面の輝度を制御可能な情報処理装置であって、
前記表示画面を有し、前記表示画面に対して複数の表示解像度で画像を表示可能に構成された表示装置と、前記表示画面の表示解像度ごとに異なるスクリーン座標と前記表示画面の各分割領域との対応関係を前記表示解像度ごとにあらかじめ記憶した記憶部と、アクティブなウインドウもしくはカーソルの少なくとも何れか一方が描画される描画領域が属する前記分割領域を注目領域として決定する注目領域決定部と、前記注目領域が第１の輝度を、他の分割領域が前記第１の輝度より低い第２の輝度を、それぞれ有するよう、前記分割領域ごとに前記表示画面の輝度を制御する輝度制御部と、前記描画領域のスクリーン座標の変更を監視する監視部と、を備え、前記注目領域決定部は、前記表示画面の表示解像度を取得する解像度取得部と、前記描画領域のスクリーン座標を取得し、前記アクティブなウインドウのスクリーン座標はウインドウの一点を示す座標データと前記ウインドウの大きさを示すデータから取得する座標取得部と、前記記憶部から前記表示解像度における前記描画領域のスクリーン座標が属する前記分割領域の情報を注目領域情報として取得する注目領域情報取得部と、を有し、前記監視部から前記描画領域のスクリーン座標に対する変更があった旨の情報を受けると、前記変更のあった前記描画領域のスクリーン座標を用いて再度注目領域を決定する、ことを特徴とするものである。
【手続補正２】
【補正対象書類名】明細書
【補正対象項目名】０００８
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
表示画面を複数の領域に分割し、この分割領域ごとに前記表示画面の輝度を制御可能な情報処理装置であって、
前記表示画面を有し、前記表示画面に対して複数の表示解像度で画像を表示可能に構成された表示装置と、
前記表示画面の表示解像度ごとに異なるスクリーン座標と前記表示画面の各分割領域との対応関係を前記表示解像度ごとにあらかじめ記憶した記憶部と、
アクティブなウインドウもしくはカーソルの少なくとも何れか一方が描画される描画領域が属する前記分割領域を注目領域として決定する注目領域決定部と、
前記注目領域が第１の輝度を、他の分割領域が前記第１の輝度より低い第２の輝度を、それぞれ有するよう、前記分割領域ごとに前記表示画面の輝度を制御する輝度制御部と、
前記描画領域のスクリーン座標の変更を監視する監視部と、
を備え、
前記注目領域決定部は、
前記表示画面の表示解像度を取得する解像度取得部と、
前記描画領域のスクリーン座標を取得し、前記アクティブなウインドウのスクリーン座標はウインドウの一点を示す座標データと前記ウインドウの大きさを示すデータから取得する座標取得部と、
前記記憶部から前記表示解像度における前記描画領域のスクリーン座標が属する前記分割領域の情報を注目領域情報として取得する注目領域情報取得部と、
を有し、前記監視部から前記描画領域のスクリーン座標に対する変更があった旨の情報を受けると、前記変更のあった前記描画領域のスクリーン座標を用いて再度注目領域を決定する、
ことを特徴とする情報処理装置。
【請求項２】
前記表示装置は、
前記表示画面を構成する液晶パネルと、
前記表示画面の前記複数の分割領域のそれぞれを液晶パネルの背後から照明する複数の光源から成る光源群と、
を備え、
前記輝度制御部は、前記光源の発光輝度を前記分割領域ごとに制御することで、前記分割領域の輝度を制御し、
前記記憶部は、
前記表示画面の表示解像度ごとに異なるスクリーン座標と、前記表示画面の各分割領域と、前記各分割領域を照明する前記光源群の各光源と、の対応関係を前記表示解像度ごとにあらかじめ記憶し、
前記注目領域情報取得部は、
前記表示解像度および前記描画領域のスクリーン座標にもとづき前記記憶部から前記注目領域の情報を取得し、前記注目領域を照明する前記光源群の光源の情報を取得し、
前記輝度制御部は、
前記注目領域を照明する前記光源が前記第１の発光輝度で、前記他の分割領域を照明する前記光源が前記第１の発光輝度より低い前記第２の発光輝度で、それぞれ発光するよう制御する、
請求項１記載の情報処理装置。
【請求項３】
前記監視部は、
前記表示画面に前記ウインドウが初めて生成された場合、前記ウインドウのサイズが変更された場合、前記ウインドウの位置が変更された場合、および前記カーソルが描画されるスクリーン座標が変更された場合、の少なくとも１つの場合に、前記描画領域のスクリーン座標に対する変更があったと判定する、
請求項１または２記載の情報処理装置。
【請求項４】
前記注目領域決定部は、
前記アクティブなウインドウが描画される描画領域が属する前記分割領域および前記カーソルが描画される描画領域が属する前記分割領域の両方を注目領域として決定する、
請求項１ないし３のいずれか１項に記載の情報処理装置。
【請求項５】
表示画面を複数の領域に分割し、この分割領域ごとに前記表示画面の輝度を制御する輝度制御方法であって、
前記表示画面の表示解像度ごとに異なるスクリーン座標と前記表示画面の各分割領域との対応関係を前記表示解像度ごとに記憶部に記憶させるステップと、
アクティブなウインドウもしくはカーソルの少なくとも何れか一方が描画される描画領域が属する前記分割領域を注目領域として決定するステップと、
前記注目領域が第１の輝度を、他の分割領域が前記第１の輝度より低い第２の輝度を、それぞれ有するよう、前記分割領域ごとに前記表示画面の輝度を制御するステップと、
前記描画領域のスクリーン座標に対する変更を監視するステップと、
前記描画領域のスクリーン座標に対する変更があると、前記描画領域が属する前記分割領域を注目領域として決定するステップを再度実行するステップと、
を有し、
前記描画領域が属する前記分割領域を注目領域として決定するステップは、
前記表示画面の表示解像度を取得するステップと、
前記描画領域のスクリーン座標を取得し、前記アクティブなウインドウのスクリーン座標はウインドウの一点を示す座標データと前記ウインドウの大きさを示すデータから取得するステップと、
前記記憶部から前記表示解像度における前記描画領域のスクリーン座標が属する前記分割領域の情報を前記注目領域情報として取得するステップと、
を有することを特徴とする輝度制御方法。
【請求項６】
前記表示装置は、
前記表示画面を構成する液晶パネルと、
前記表示画面の前記複数の分割領域のそれぞれを液晶パネルの背後から照明する複数の光源から成る光源群と、
を備え、
前記記憶部に記憶させるステップは、
前記表示画面の表示解像度ごとに異なるスクリーン座標と、前記表示画面の各分割領域と、前記各分割領域を照明する前記光源群の各光源と、の対応関係を前記表示解像度ごとに前記記憶部に記憶させるステップであり、
前記分割領域ごとに前記表示画面の輝度を制御するステップは、
前記光源の発光輝度を前記分割領域ごとに制御することで、前記分割領域の輝度を制御するステップであり、
前記注目領域の情報を取得するステップは、
前記表示解像度の情報および前記描画領域のスクリーン座標にもとづき前記記憶部から前記注目領域の情報を取得し、前記注目領域を照明する前記光源群の光源の情報を取得するステップであり、
前記分割領域ごとに前記表示画面の輝度を制御するステップは、
前記注目領域を照明する前記光源が前記第１の発光輝度で、前記他の領域を照明する前記光源が前記第１の発光輝度より低い前記第２の発光輝度で、それぞれ発光するよう制御するステップである、
請求項５記載の輝度制御方法。
【請求項７】
前記描画領域のスクリーン座標に対する変更を監視するステップは、
前記表示画面に前記アクティブなウインドウが初めて生成された場合、前記アクティブなウインドウのサイズが変更された場合、前記アクティブなウインドウの位置が変更された場合、および前記カーソルが描画されるスクリーン座標が変更された場合、の少なくとも１つの場合に、前記描画領域のスクリーン座標に対する変更があったと判定する、
請求項５または６記載の輝度制御方法。
【請求項８】
前記描画領域が属する前記分割領域を注目領域として決定するステップは、
前記アクティブなウインドウが描画される描画領域が属する前記分割領域および前記カーソルが描画される描画領域が属する前記分割領域の両方を注目領域として決定するステップである、
請求項５ないし７のいずれか１項に記載の輝度制御方法。